(57)【特許請求の範囲】
【請求項１】
着座者の着座荷重を受ける座体と、
前記座体を支持する支持構造体と、を備え、
前記座体は、
着座面を構成する座面構成部材と、
前記座面構成部材を支持する座板と、
前記座板と前記支持構造体の間に介装されて前記座板の少なくとも一部の下方を覆う座板カバーと、を備え、
前記座板カバーは、
前記座板の下方で前記座板と前記支持構造体の締結部に挟持される挟持固定部と、
前記座板の下方の前記挟持固定部よりも座中心から外側に離間した位置に配置され、前記座板からの下方変位を規制する離反規制部と、を有し、
前記離反規制部は、前記座板に設けられた係止部の上面に、一部が上方から対向して配置される鉤状の係合爪によって構成されていることを特徴とする椅子。
【請求項２】
前記座板カバーと前記座板には、前記係合爪と前記係止部が上下方向で対向した状態で、前記座板カバーと前記座板の略水平方向の相対位置を規制するカバー側規制壁と座板側規制壁が設けられており、
前記カバー側規制壁と前記座板側規制壁によって規制される前記座板カバーと前記座板の相対位置は、前記座板の前記締結部における締結部材の挿入位置と前記座板カバーにおける前記締結部材の挿入位置が合致する位置に設定されていることを特徴とする請求項１に記載の椅子。
【発明の詳細な説明】
【技術分野】
【０００１】
本発明は、着座者の着座荷重を受ける座体が、座板の下方を覆う座板カバーを備えた椅子に関するものである。
【背景技術】
【０００２】
着座者の着座荷重を受ける座体が、その下面略中央において支持構造体である脚柱の上部に支持されたものが知られている（例えば、特許文献１参照）。
【０００３】
特許文献１に記載の椅子は、座体が、インナー板と補強板とから成る座板と、座板の上面に支持されるクッション材と、脚柱上部の受けベースと座板の間に介装される座板カバー（アウターカバー）と、を備えている。座板カバーは、下端から上方に向かって外径が漸増する立体的な樹脂成形品によって構成されており、内部が複数の梁部やリブによって補強されるとともに、テーパー状の外壁によって座板の下方を覆っている。そして、座板カバーは、上端側の梁部が座板の下面にねじ止めされ、下端部分が脚柱上部の受けベースにねじ止めされている。
【先行技術文献】
【特許文献】
【０００４】
【特許文献１】特開２００５−１０３０２３号公報
【発明の概要】
【発明が解決しようとする課題】
【０００５】
特許文献１に記載の椅子は、受けベースと座板の間が座板カバーのテーパー状の外壁によって連続的に覆われているため、座体の下方の見栄えを良好にすることができる。
しかし、特許文献１に記載の椅子においては、座板カバーが高さのある大型の樹脂成形品となるため、コンパクトで軽快なデザインを採用しにくいうえ、部品重量の増加と製品コストの高騰を避けることができない。
【０００６】
また、特許文献１に記載の椅子の場合、座板カバーの上部の梁部が複数のねじによって座板に締結固定される一方で、座板カバーの下端部が支持構造体である受けベースに複数のねじによって別に締結固定されている。このため、製造時における部品の組み付けが煩雑になる。
【０００７】
そこで本発明は、座板カバーの取り付け剛性の低下を招くことなく、座板カバーの高さ方向のコンパクト化及び軽量化と、組み付けの容易化を図ることができる椅子を提供しようとするものである。
【課題を解決するための手段】
【０００８】
本発明に係る椅子は、上記課題を解決するために、以下の構成を採用した。
本発明に係る椅子は、着座者の着座荷重を受ける座体と、前記座体を支持する支持構造体と、を備え、前記座体は、着座面を構成する座面構成部材と、前記座面構成部材を支持する座板と、前記座板と前記支持構造体の間に介装されて前記座板の少なくとも一部の下方を覆う座板カバーと、を備え、前記座板カバーは、前記座板の下方で前記座板と前記支持構造体の締結部に挟持される挟持固定部と、前記座板の下方の前記挟持固定部よりも座中心から外側に離間した位置に配置され、前記座板からの下方変位を規制する離反規制部と、を有し、前記離反規制部は、前記座板に設けられた係止部の上面に、一部が上方から対向して配置される鉤状の係合爪によって構成されている。
【０００９】
上記の構成により、座板カバーは、挟持固定部が座板と支持構造体の締結部に挟持固定され、挟持固定部よりも座中心から外側に離間した部分が、離反規制部によって座板からの下方変位を規制されることになる。この結果、座板カバーは、外周縁部の下方変位が離反規制部によって規制された状態において、径方向内側寄りの挟持固定部が座板と支持構造体に挟持されて、これらに高い剛性をもって支持される。座板カバーは、径方向内側寄りの挟持固定部が座板と支持構造体とに挟持されて固定されるため、高さ方向にコンパクトで、軽量化が可能な構造とすることができる。
また、座板カバーは、挟持固定部よりも外側の領域が、離反規制部において座板と部材同士を重合させているため、離反規制部の形成された部位を支持構造体からオーバーハングさせた場合でも、充分な剛性を確保することができる。
【００１０】
さらに、この場合、座板カバー側の係合爪の一部が、座板側の係止部の上面に上方から対向して配置されるため、係合爪が係止部の上面に当接することによって座板カバーの下方変位が規制される。
【００１１】
前記座板カバーと前記座板には、前記係合爪と前記係止部が上下方向で対向した状態で、前記座板カバーと前記座板の略水平方向の相対位置を規制するカバー側規制壁と座板側規制壁が設けられており、前記カバー側規制壁と前記座板側規制壁によって規制される前記座板カバーと前記座板の相対位置は、前記座板の前記締結部における締結部材の挿入位置と前記座板カバーにおける前記締結部材の挿入位置が合致する位置に設定されるようにしても良い。
この場合、座板の下方に座板カバーを組み付ける場合には、係合爪と係止部をオフセットさせた状態から、座板カバーと座板を略水平方向に相対変位させて係合爪の一部を係止部の上面に対向させる。こうして、座板カバーと座板をある程度相対変位させると、カバー側規制壁と座板側規制壁とが当接して、座板カバーと座板の略水平方向の相対位置が規制される。この状態においては、座板カバーにおける締結部材の挿入位置と座板における締結部材の挿入位置が合致するため、座板を座板カバーとともにそのまま締結部材によって支持構造体に締結固定することが可能になる。
【発明の効果】
【００１５】
本発明によれば、座板カバーの挟持固定部が座板と支持構造体の締結部に挟持固定され、座板カバーの挟持固定部よりも座中心から外側に離間した部分が、離反規制部によって座板からの下方変位を規制されるため、取り付け剛性の低下を招くことなく、座板カバーを、高さ方向にコンパクトで、軽量化が可能な構造にすることができ、しかも、座板カバーを座板に対して容易に組み付けることができる。
【図面の簡単な説明】
【００１６】
【図１】本発明の一実施形態に係る椅子の正面図である。
【図２】本発明の一実施形態に係る椅子の縦断面図である。
【図３】本発明の一実施形態に係る椅子の下部領域の縦断面図である。
【図４】本発明の一実施形態に係る椅子の上部領域の縦断面図である。
【図５】本発明の一実施形態に係る椅子の座体の一部の斜視図である。
【図６】本発明の一実施形態に係る椅子の座支持部材の斜視図である。
【図７】本発明の一実施形態に係る椅子の座体の構成部品の斜視図である。
【図８】本発明の一実施形態に係る椅子の座体の構成部品の斜視図である。
【図９】本発明の一実施形態に係る椅子の座体の構成部品の斜視図である。
【発明を実施するための形態】
【００１７】
以下、本発明の一実施形態を図面に基づいて説明する。
図１は、実施形態に係る椅子１を正面から見た図であり、図２は、椅子１全体の縦断面を示した図である。
これらの図に示すように、椅子１は、建造物のフロア等の設置面上に載置される設置ベース１０と、設置ベース１０から上方に起立し、起立位置を中心とした円周方向の任意の方向に傾動可能となるように設置ベース１０に支持される円筒状の脚柱１１と、脚柱１１の上部に支持され、着座者の着座荷重を上面で受ける座体１２と、を備えている。
【００１８】
図３は、設置ベース１０を中心とした椅子１の下部領域の縦断面を拡大して示した図である。
設置ベース１０は、上面視が円形状の板金製のベースフレーム１３と、ベースフレーム１３に取り付けられ、ベースフレーム１３の上部を覆う上面視が円形状の樹脂製の上装部材１４と、を備えている。上装部材１４は、外周縁部から中心部に向かって緩やかな曲面を描いて上方に膨出しており、膨出部分の中心領域には、脚柱１１の下部領域が傾動可能に挿通される傾動許容孔１５が形成されている。ベースフレーム１３は、中央領域が上方に隆起し、その隆起した部分が略水平に延在する平坦な壁となっている。この平坦な壁は、後述する弾性部材１９の下面を支持する支持壁１６とされている。ベースフレーム１３の支持壁１６の上面と上装部材１４の間には、空間部１７が設けられている。
なお、上装部材１４の傾動許容孔１５の周縁部１５ａは、略一定厚みの薄肉の壁によって形成されており、その周縁部１５ａの下面は、周縁部１５ａの上面側の形状に略沿うように、略球面状の円弧面とされている。また、図２に示すように、ベースフレーム１３の外周縁部の下面には、下方に突出して設置面に接する円環状の設置部材９０が取り付けられている。設置部材９０は、滑りにくい樹脂材料によって形成され、設置ベース１０の外周端部よりも内側に配置されている。
【００１９】
また、脚柱１１の下端部には、平面視が円形状の板金製の平坦な当接壁１８が一体に設けられている。具体的には、当接壁１８は、脚柱１１の本体部(内筒１１Ａ)の下端に溶接等によって一体に取り付けられている。ベースフレーム１３の支持壁１６の上面と、脚柱１１側の当接壁１８の下面の間には、中央に貫通孔１９ａを有する孔あき円板状のゴム状の弾性部材１９が介装されている。弾性部材１９は、当接壁１８と支持壁１６によって圧縮された状態(初期反力を蓄積された状態)において、当接壁１８と支持壁１６で挟持されている。したがって、脚柱１１の下端は、弾性部材１９を介して設置ベース１０に傾動可能に支持されている。弾性部材１９は、脚柱１１が初期傾動姿勢である鉛直姿勢となるように、弾性反力によって脚柱１１を付勢する。
【００２０】
また、ベースフレーム１３の支持壁１６の中央部には、弾性部材１９の貫通孔１９ａよりも内径の大きい挿通孔２０が形成されている。支持壁１６の挿通孔２０の下面側の周縁部には、摺動性の高い樹脂部材から成る円環状の摺動ガイド２１が取り付けられている。摺動ガイド２１の内周縁部には、下方に凸の円弧状断面の支持面２１ａが形成されている。支持面２１ａの円弧状断面は、摺動ガイド２１の円周方向に連続して形成されている。支持壁１６の下面側からは、摺動ガイド２１と、支持壁１６の挿通孔２０と、弾性部材１９の貫通孔１９ａを貫通して当接壁１８の下面に突き当てられる抜け規制部材２２が取り付けられている。
【００２１】
抜け規制部材２２は、弾性部材１９の貫通孔１９ａに挿通される軸部２２ａと、軸部２２ａの下端に径方向外側に張り出すように連設された半球状の頭部２２ｂと、を有している。頭部２２ｂは、上部側の外表面が球面状に形成され、その球面状部分が、摺動ガイド２１の支持面２１ａに摺動可能に当接するガイド面２３とされている。
【００２２】
抜け規制部材２２は、頭部２２ｂのガイド面２３を摺動ガイド２１に当接させた状態において、金属製の円筒状のスペーサ２４とボルト２５によって、脚柱１１の当接壁１８に締結固定されている。こうして、抜け規制部材２２が支持壁１６の下方側から締結固定されると、弾性部材１９が当接壁１８と支持壁１６とによって所定量圧縮され、その状態において、抜け規制部材２２の頭部２２ｂが摺動ガイド２１に当接することによって、設置ベース１０からの脚柱１１の抜けが規制されている。また、脚柱１１は、平坦な当接壁１８と支持壁１６の間に挟持された弾性部材１９が撓むことにより、任意方向の傾動が許容されているが、脚柱１１の傾動時には、抜け規制部材２２の頭部２２ｂの球面状のガイド面２３が摺動ガイド２１の支持面２１ａ上を摺動することにより、脚柱１１の傾動がガイドされる。
なお、この実施形態においては、抜け規制部材２２が、スペーサ２４とボルト２５によって支持壁１８に締結固定されることにより、弾性部材１９が所定量圧縮されるようにしているが、弾性部材１９は、抜け規制部材２２を支持壁１８に固定する前に予め圧縮しておくようにしても良い。
【００２３】
当接壁１８の上面には、截頭円錐状の金属製の支持部材２７が取り付けられている。上装部材１４の傾動許容孔１５の近傍部には、傾動許容孔１５と脚柱１１の間の隙間を下方側から閉塞するカバー部材２６が配置されている。カバー部材２６は、樹脂によって一体に形成され、薄肉のカバー本体部２６ａが略球面状の立体曲面によって形成されている。カバー本体部２６ａの中央部には、脚柱１１の内筒１１Ａが挿通される貫通孔２６ａ−１が形成されている。また、カバー本体部２６ａの貫通孔２６ａ−１の外周縁部の下面には、下方に向かって円筒状に突出する突部２６ｂが突設されている。突部２６ｂは、その下端が支持部材２７に摺動自在に接触することにより、カバー部材２６の過剰な下方変位を支持部材２７によって規制される。カバー部材２６は、脚柱１１の傾動時に、貫通孔２６ａ−１の周壁が脚柱１１(内筒１１Ａ)の外周面に当接することにより、脚柱１１の傾動に追従して傾動変位する。
【００２４】
脚柱１１は、上端部に座支持部材２８が取り付けられた外筒１１Ｂと、外筒１１Ｂに進退自在に組み付けられた内筒１１Ａと、座支持部材２８と内筒１１Ａの間に跨って配置され、内筒１１Ａと外筒１１Ｂの伸縮長さを調整するガススプリング２９と、を備えている。ガススプリング２９は、上端部に設けられた図示しない伸縮調整部が後述する操作レバー３０によって押圧操作されることにより、内筒１１Ａと外筒１１Ｂの間の伸縮長さ(座体１２の昇降高さ)を自由に調整できるようになっている。
【００２５】
図４は、座体１２を中心とした椅子１の上部領域の縦断面を拡大して示した図であり、図５は、座体１２の一部を分解して示した図である。また、図６は、座支持部材２８と操作レバー３０を斜め上方から見た図である。
座支持部材２８は、図４，図６に示すように、上端面に座体１２が取り付けられる本体ブロック２８Ａと、本体ブロック２８Ａの下端に連設され、外筒１１Ｂの上端部に嵌合固定されるボス部２８Ｂと、を備えている。ボス部２８Ｂと本体ブロック２８Ａの軸心部には、ガススプリング２９の上端部が嵌合固定されている。本体ブロック２８Ａの上面の略中央には操作レバー３０の基端のプッシュ操作部３０ａが配置される凹部２８Ａ−１が形成されている。
【００２６】
操作レバー３０は、円環状のリング操作部３０ｂと、リング操作部３０ｂから径方向内側に延出する複数の連結アーム部３０ｃと、複数の連結アーム部３０ｃの径方向内側の端部に連結されたボス部３０ｄと、を備え、ボス部３０ｄにプッシュ操作部３０ａが保持されている。操作レバー３０は、リング操作部３０ｂが座支持部材２８の本体ブロック２８Ａの径方向外側に同軸に配置されている。座支持部材２８の本体ブロック２８Ａには、操作レバー３０の各連結アーム部３０ｃが挿通される複数の挿通溝２８Ａ−２が形成されている。本体ブロック２８Ａの上面には、金属製の閉塞プレート３１が取り付けられている。操作レバー３０のボス部３０ｄと各連結アーム部３０ｃの上方変位は閉塞プレート３１によって規制されている。
【００２７】
操作レバー３０は、リング操作部３０ｂの円周方向のいずれかの部分が上方に引き上げ操作されることにより、本体ブロック２８Ａ内のプッシュ操作部３０ａがボス部３０ｄとともに傾斜し、そのときプッシュ操作部３０ａがガススプリング２９の伸縮調整部を押圧する。したがって、この操作レバー３０の場合、リング操作部３０ｂを円周方向のいずれの方向から引き上げ操作した場合にも、ガススプリング２９を同様に伸縮調整することができる。
【００２８】
座体１２は、座支持部材２８の本体ブロック２８Ａの上面に締結固定される硬質樹脂製の座板３２と、座板３２の上面に支持される内装材であるクッション材３３と、クッション材３３の上面と外周縁部の外側を覆い、座板３２の下面側の外周縁部で内側に絞り込まれることによって座板３２に固定される表皮材３４と、座板３２の外周縁部の下面に取り付けられて、座板３２の下面と外周縁部を覆う樹脂製の座板カバー３５と、を備えている。
なお、この実施形態においては、座体１２によりも下方に配置される座支持部材２８、脚柱１１、ガススプリング２９、設置ベース１０等が、座体１２を支持する支持構造体を構成している。また、クッション材３３と表皮材３４は、着座面を構成する座面構成部材を構成している。
【００２９】
図７は、座板３２を下方側から見た斜視図である。また、図８は、座板カバー３５を上方側から見た斜視図であり、図９は、座板カバー３５を下方側から見た斜視図である。
座板３２は、平面視が円形状に形成されており、その上面は、図４，図５に示すように、外周縁部が上方に向かって緩やかに凸に湾曲している。この湾曲形状は、座板３２の外周域に亘って円環状に連続している。この円環状に連続する湾曲形状部分については、以下では環状膨出領域３２ａと呼ぶ。この環状膨出領域３２ａは、後述するクッション材３３の一部とともに環状隆起部４７を構成している。これに対し、座板３２の上面の中央領域は、環状膨出領域３２ａの湾曲形状に連続するように下方に向かって略球面状に窪んでいる。この略球面状の窪み部分については、以下では球面状窪み領域３２ｂと呼ぶ。この球面状窪み領域３２ｂは、後述するクッション材３３とともに凹形状部４８を構成している。
【００３０】
座板３２の外周端部には、図４，図７に示すように、下方に向かって円筒状に突出する環状リブ３６が突設されている。また、座板３２の下面には、環状リブ３６から径方向内側に所定距離離間して円環状の締結用リブ３７が突設されている。締結用リブ３７は、後述する座板カバー３５を間に挟み込んだ状態で、座支持部材２８の外縁部の上面に載置され、座支持部材２８に対してねじ止めされるようになっている。なお、図中の符号３８は、締結用リブ３７を座支持部材２８に締結固定する締結部材であるねじであり、３９は、ねじ３８が挿入される締結用リブ３７上のねじ孔である。
【００３１】
座板３２の下面のうちの、締結用リブ３７よりも径方向外側領域には、表皮材３４の外周縁部を緊縮する紐材４０(図４参照)を係止するための複数の係止突起４１が円周方向に離間して突設されている。また、座板３２の下面のうちの、締結用リブ３７よりも径方向外側領域には、上記の係止突起４１とは別に、座板３２の径方向に沿う断面形状が略Ｌ字状である複数の係止部４２が円周方向に離間して突設されている。係止部４２の略Ｌ字状の断面は、下方に起立する壁４２ｂの下端に連設される下片４２ｃが座板３２の径方向内側に向かって延出している。また、各係止部４２の円周方向の一端部には、略Ｌ字状の断面の開口部分を閉塞する座板側規制壁４２ａが一体に形成されている。
【００３２】
座板カバー３５は、平面視が座板３２よりも一回り大きい孔あき円形状に形成されている。座板カバー３５は、ほぼ平坦な円環状のベース部３５ａの外周縁部に下方に凸状に隆起し、座板カバー３５の周域に環状に連続する指掛かり部３５ｂが形成されている。指掛かり部３５ｂは、座板カバー３５のベース部３５ａの外周縁部に、径方向に沿う断面が略Ｕ字状となるように湾曲して形成されている。この指掛かり部３５ｂの径方向外側領域は、上方に向かって湾曲して延出しており、座板カバー３５が座板３２に組み付けられたときに、座板３２の環状リブ３６の外側領域を覆うようになっている。
なお、指掛かり部３５ｂの径方向外側領域は、表皮材３４に覆われた座板３２の外周面とクッション材３３（座面構成部材）の外周面の一部を覆う外縁覆い部３５ｂ−１を構成している。
【００３３】
座板カバー３５のベース部３５ａの内周縁部は、その上面に座板３２の締結用リブ３７の下面が当接し、座支持部材２８の外周縁部の上面と締結用リブ３７に挟持された状態で、ねじ３８によって座支持部材２８と締結用リブ３７に締結固定される挟持固定部５０とされている。挟持固定部５０には、座板３２と座支持部材２８を締結固定するためのねじ３８が挿入される挿通孔４４が形成されている。
【００３４】
また、座板カバー３５のベース部３５ａの上面の挟持固定部５０よりも径方向外側位置（座中心から外側に離間した位置）には、図８に示すように、径方向に沿う断面形状が略Ｌ字状である複数の係合爪４３が突設されている。複数の係合爪４３は、座板３２の複数の係止部４２に対応して設けられている。係合爪４３の略Ｌ字状の断面は、上方に向かって起立する壁４３ｂの上端に連設される上片４３ｃが座板カバー３５の径方向外側に向かって延出している。各係合爪４３の円周方向の一端部には、略Ｌ字状の断面の開口部分をほぼ閉塞するカバー側規制壁４３ａが一体に形成されている。座板カバー３５は、各係合爪４３の上片４３ｃが、座板３２側の対応する係止部４２の下片４２ｃと上下方向で対向するように、座板３２に対して下方から組み付けられる。具体的には、座板カバー３５は、係合爪４３が座板３２側の係止部４２と円周方向でオフセットする状態で座板３２に組み付けられ、その状態で座板３２に対して所定方向に相対回転させることによって、係合爪４３の上片４３ｃを対応する係止部４２の下片４２ｃに対向させる。なお、座板３２に対する座板カバー３５の相対回転は、各係合爪４３のカバー側規制壁４３ａが対応する係止部４２の座板側規制壁４２ａと当接することによって規制される。これにより、係合爪４３の上片４３ｃは係止部４２の下片４２ｃに対して上方から当接し、座板カバー３５と座板３２は相互に仮組みされる。
なお、座板カバー３５の挿通孔４４と座板３２のねじ孔３９とは、係合爪４３のカバー側規制壁４３ａが係止部４２の座板側規制壁４２ａと当接したときに互いの位置が合致するように設定されている。
【００３５】
座板カバー３５は、後に説明するように座支持部材２８と座板３２に挟持された状態で、座支持部材２８に取り付けられた後には、係合爪４３が座板３２の係止部４２の下片４２ｃに上方から当接することにより、座板３２からの下方変位を規制される。
この実施形態においては、係合爪４３が座板カバー３５の離反規制部を構成している。
【００３６】
また、座板カバー３５の内周縁部の挿通孔４４の形成位置よりも外側位置には、下方に向かって円筒状に突出する規制突条４５が突設されている。この規制突条４５は、座板カバー３５が座板３２とともに座支持部材２８にねじ３８によって締結されるときに、座支持部材２８の外周縁部に形成された段差部４６に突き当てられるようになっている。
なお、この実施形態においては、座支持部材２８に突き当てられる円筒状の規制突条４５が座板カバー３５に形成されているが、円筒状の規制突条４５に代えて複数の規制突起を座板カバー３５に間欠的に設けるようにしても良い。
【００３７】
座板３２の上面に載置されるクッション材３３は、例えば、肉厚の円板状のウレタン等によって形成されている。この実施形態の場合、クッション材３３は、略一定厚みに形成され、上面と外周縁部が表皮材３４によって覆われ、その表皮材３４の外周縁部が座板３２の下面側で紐材４０によって緊縮されることで、座板３２の上面に固定されている。このとき、座板３２の上面には、外周縁部側に環状膨出領域３２ａが設けられるとともに、それよりも内側部分に球面状窪み領域３２ｂが設けられている。このため、表皮材３４によって座板３２上に拘束されたクッション材３３の上面には、外周縁部から上方に隆起し、座体１２の周域に環状に連続する環状隆起部４７と、座体１２の上面の環状隆起部４７の内側領域において環状隆起部４７に対して下方に窪む凹形状部４８が形成されている。
【００３８】
また、表皮材３４は、上述のようにクッション材３３の上面の外周縁部を覆った状態で座板３２の下面側で緊縮されて固定される。このとき、表皮材３４は、座板３２の環状リブ３６の端部と、クッション材３３の環状隆起部４７の径方向外側領域に強く押し付けられる。一方、クッション材３３の環状隆起部４７の径方向内側領域と凹形状部４８では、表皮材３４がこれらの表面から離間し、クッション材３３と表皮材３４の間に隙間Ｄが形成されている。ただし、この隙間Ｄは、座体１２上に着座者が着座したときに着座荷重による表皮材３４の伸びによってほぼ無くなる。
【００３９】
ここで、座板カバー３５は、クッション材３３が表皮材３４によって覆われて座板３２に取り付けられた後に、座板３２の下面側に前述のようにして仮組みされる。仮組みされた座板カバー３５は、挟持固定部５０において、座板３２とともにねじ３８によって座支持部材２８に締結固定される。こうして、座板カバー３５が座板３２とともに座支持部材２８に固定されると、座板カバー３５が座板３２に対して内周縁部（挟持固定部５０）で固定されるとともに、それよりも径方向外側位置において係合爪４３によって下方変位を規制される。また、こうして座板カバー３５が座板３２の下方に組み付けられると、座板カバー３５の外周縁部の外縁覆い部３５ｂ−１の上端部が表皮材３４に密着して、外縁覆い部３５ｂ−１が、座板３２とクッション材３３の下縁を外周側から覆うことになる。
【００４０】
この実施形態に係る椅子１においては、以下のようにして着座者が座体１２に着座することができる。
着座者は、例えば、椅子１の座体１２の前に後向きで立ち、座体１２に手を添えて座体１２の上面に腰を下ろす。このとき、椅子１の脚柱１１は、着座者から座体１２に加える荷重の位置と方向に応じて、設置ベース１０に対して適宜傾動する。このとき、設置ベース１０と脚柱１１の間に介装された弾性部材１９が変形し、弾性部材１９において脚柱１１の傾動に応じた反力を発生する。
椅子１は、弾性部材１９に蓄積された反力と、着座者の臀部を通して座体１２に入力される荷重とがバランスしたところで脚柱１１の傾動を停止する。この状態において、着座者の臀部は座体１２の上面の凹形状部４８に位置され、臀部の周域は環状隆起部４７によって安定して保持されることになる。
【００４１】
以上のように、この実施形態に係る椅子１においては、座体１２の座板３２の下方を覆う座板カバー３５が、内周縁部の挟持固定部５０で座板３２と座支持部材２８に挟持されて座板３２とともに座支持部材２８にねじ３８によって締結固定され、座板カバー３５の挟持固定部５０よりも径方向外側に突設された係合爪４３が、座板３２に突設された係止部４２に対して上方から係止可能に対向配置され、係合爪４３によって座板カバー３５の外縁側の下方変位が規制されている。このため、座板カバー３５の上下高さを抑えたコンパクトな構造としつつも、座板カバー３５を充分な剛性を持たせて座板３２の下方に取り付けることができる。したがって、この実施形態に係る椅子１を採用した場合には、座板カバー３５の取り付け剛性の低下を招くことなく、座板カバー３５のコンパクト化と軽量化を図ることができる。
さらに、この実施形態に係る椅子１においては、座板カバー３５の挟持固定部５０よりも径方向外側領域が、下方変位を規制された状態で座板３２の外周縁部の下面に重ね合せられているため、離反規制部である係合爪４３の形成された部位が設置ベース１０からオーバーハングする構造でありながら、座板カバー３５の充分な剛性を確保することができる。
【００４２】
また、この実施形態に係る椅子１においては、座板カバー３５が、内周縁部の挟持固定部５０で座板３２と座支持部材２８に挟持されて座支持部材２８に締結固定され、それよりも径方向外側部分が係合爪４３で座板３２からの下方変位を規制される構造とされているため、座板カバー３５を座板３２や座支持部材２８に固定するための締結部材の数を削減することができる。したがって、この実施形態に係る椅子１を採用した場合には、座板カバー３５を座板３２に対して容易に組み付けることができる。
【００４３】
特に、この実施形態においては、座板３２からの座板カバー３５の下方変位を規制する離反規制部が、座板３２の下面に突設された係止部４２の下片４２ｃに、上片４３ｃが上方から対向するように配置される鉤状の係合爪４３によって構成されている。このため、簡単な構造でありながら、座板カバー３５の外周縁部の下方変位を確実に規制することができる。
【００４４】
また、この実施形態に係る椅子１では、係合爪４３と係止部４２に、相互に当接して座板カバー３５と座板３２の回転方向の相対位置を規制するカバー側規制壁４３ａと座板側規制壁４２ａが設けられており、係合爪４３と係止部４２が相互に当接して規制される座板カバー３５と座板３２の相対位置が、両者にねじ３８が挿入される位置と合致するように設定されている。このため、座板３２と座板カバー３５を座支持部材２８にねじ３８によって固定するときに、座板３２のねじ孔３９と座板カバー３５の挿通孔４４を座支持部材２８のねじ３８の締め込み位置に容易に位置合わせすることができる。したがって、この構造を採用することにより、椅子１の組み付け作業性を高めることができる。
【００４５】
また、この実施形態に係る椅子１においては、座板カバー３５の挟持固定部５０の上面に当接する環状の締結用リブ３７が、座板３２の下面に膨出して設けられている。このため、座板カバー３５の挟持固定部５０が、座板３２側の剛性の高い締結用リブ３７と座支持部材２８によって挟持固定されることになり、簡単な構造でありながら、座板カバー３５のガタつきや位置ずれを確実に防止することが可能になる。
【００４６】
さらに、この実施形態に係る椅子１においては、座板カバー３５の外周縁部に、上方に延出して座板３２の外周面とクッション材３３の外周面の下部領域とを覆う外縁覆い部３５ｂ−１が設けられている。このため、座板３２やクッション材３３の外周側のひずみや皺、隙間等が外縁覆い部３５ｂ−１によって覆われて外部から見えなくなり、椅子１の外部からの見栄えが良好になる。
【００４７】
また、この実施形態に係る椅子１では、座板カバー３５上の挟持固定部５０の径方向外側位置に円筒状の規制突条４５が突設され、その規制突条４５が座支持部材２８の上部側の外周の段差部４６に突き当てられるようになっている。このため、座板カバー３５の挟持固定部５０が座板３２とともに座支持部材２８にねじ３８によって締結固定されたときに、その締結荷重を、規制突条４５を通して座支持部材２８の上端側の外周領域に作用させることができる。したがって、この構造を採用することにより、座板カバー３５の挟持固定部５０よりも径方向外側に張り出す部分の荷重を、規制突条４５の高い剛性をもって座支持部材２８に支持させ、座板カバー３５のガタ付きを抑制することができる。
【００４８】
なお、本発明は上記の実施形態に限定されるものではなく、その要旨を逸脱しない範囲で種々の設計変更が可能である。例えば、上記の実施形態においては、設置ベース１０が建造物のフロア等の設置面上に移動可能に載置されているが、設置ベース１０は設置面に固定設置することも可能である。
【符号の説明】
【００４９】
１  椅子
１０  設置ベース（支持構造体）
１１  脚柱（支持構造体）
１２  座体
２８  座支持部材（支持構造体）
２９  ガススプリング（支持構造体）
３２  座板
３３  クッション材(座面構成部材)
３４  表皮材（座面構成部材）
３５  座板カバー
３５ｂ−１  外縁覆い部
３７  締結用リブ
３８  ねじ（締結部材）
４２ａ  座板側規制壁
４３  係合爪（離反規制部）
４３ａ  カバー側規制壁
４５  規制突条（規制突起）
５０  挟持固定部
【図１】
0006662609.tif 000002
【図２】
0006662609.tif 000003
【図３】
0006662609.tif 000004
【図４】
0006662609.tif 000005
【図５】
0006662609.tif 000006
【図６】
0006662609.tif 000007
【図７】
0006662609.tif 000008
【図８】
0006662609.tif 000009
【図９】
0006662609.tif 000010